(57)【要約】【課題】塵等が入り込むことを防止できる構成でありながら使い勝手のよい梯子を設ける。【解決手段】貨物車両の荷台４に設けられる荷台用梯子１０において、荷台４に形成した出し入れ用開口９の奥側に設けられたレール部材１１と、レール部材１１に沿って移動し、手前側に移動された状態で下方に回動されて使用位置に保持される梯子本体２０とを設け、梯子本体２０に、奥側に移動された収納位置で出し入れ用開口９を塞ぐ蓋部材３０を設ける。【選択図】図１
2020023239.tif 000002
【特許請求の範囲】
【請求項１】
貨物車両の荷台に設けられる荷台用梯子であって、
上記荷台に形成した出し入れ用開口の奥側に設けられたレール部材と、
上記レール部材に沿って移動し、手前側に移動された状態で下方に回動されて使用位置に保持される梯子本体と、を備え、
上記梯子本体は、奥側に移動された収納位置で上記出し入れ用開口を塞ぐ蓋部材を備えている
ことを特徴とする荷台用梯子。
【請求項２】
請求項１に記載の荷台用梯子において、
上記蓋部材には、端部を折り曲げた折曲部が設けられ、
上記折曲部は、上記収納位置において、上記梯子本体の移動方向手前側に向かって下方へ傾斜している
ことを特徴とする荷台用梯子。
【請求項３】
請求項１又は２に記載の荷台用梯子において、
上記レール部材の上記出し入れ用開口側には、上記梯子本体を支持した状態で回転するローラが設けられている
ことを特徴とする荷台用梯子。
【請求項４】
請求項１から３のいずれか１つに記載の荷台用梯子において、
上記貨物車両は、往復させることで積載物を上記荷台の端部から排出する床部材が往復方向と直交する方向に複数並んで設けられ、上記出し入れ用開口が該荷台の端部に設けられている
ことを特徴とする荷台用梯子。
【請求項５】
請求項１から４のいずれか１つに記載の荷台用梯子において、
上記レール部材の移動方向手前側端部には、上記梯子本体が上記使用位置において所定の角度をもって傾斜した状態で該梯子本体の当接面が当接するストッパ面が形成されている
ことを特徴とする荷台用梯子。
【請求項６】
請求項１から５のいずれか１つに記載の荷台用梯子において、
上記レール部材における上記梯子本体の移動方向手前側には、移動方向に直交する方向に付勢された付勢部材が設けられており、
上記梯子本体には、上記収納位置において上記付勢部材を挿入可能なロック孔が設けられている
ことを特徴とする荷台用梯子。
【請求項７】
請求項１から６のいずれか１つに記載の荷台用梯子を荷台の後端に有する
ことを特徴とする貨物車両。
【発明の詳細な説明】
【技術分野】
【０００１】
本発明は、荷台用梯子及びそれを備えた貨物車両に関し、特に貨物車両の荷台に設けられる梯子に関する。
【背景技術】
【０００２】
従来より、例えば、特許文献１のように、床を前後にスライドさせて積載物を排出する積荷搬送装置付運搬車が知られている。この種の車両では、荷台の床部材を前後に往復させることで、積載物を荷台後端から排出するようにしているが、排出後積載物が荷台上に残る場合には荷台に乗り込んで取り除く必要がある。例えば特許文献２〜５のように、荷台に梯子を収納する構造にすれば、この梯子を引き出すことで荷台に乗り降りできる。
【先行技術文献】
【特許文献】
【０００３】
【特許文献１】特開２００３−２００８６０号公報
【特許文献２】特許第６１５６８１２号公報
【特許文献３】特表２０１５−５１６３３２号公報
【特許文献４】実用新案登録第２５３５６１５号公報
【特許文献５】特許第４１９４０１４号公報
【発明の概要】
【発明が解決しようとする課題】
【０００４】
しかしながら、特許文献２〜４の構造では、収納位置において梯子先端（使用位置での下端部分）が露出しているので、排出された積載物、塵、雨水等が内部に入り込むことがある。そのため、梯子が錆付く等してスムーズに引き出すことが困難になることがあるという課題がある。
【０００５】
一方、特許文献５のように、梯子出し入れ用の開口部を車両側面の収納蓋で塞ぐ構成とすれば、収納位置で積載物等が入り込むことを防止できるが、梯子を引き出して使用する際にその都度収納蓋を上方に回動させて開く必要があり、梯子の使い勝手がよくないという課題がある。
【０００６】
具体的には、片手で収納蓋を開いた状態にしておき、もう一方の手で梯子を引き出す使い方になるので、例えば片手に作業道具を持ったまま梯子を使用位置にすることが難しい。
【０００７】
本発明は、かかる点に鑑みてなされたものであり、その目的とするところは、塵等が入り込むことを防止できる構成でありながら使い勝手のよい梯子を設けることにある。
【課題を解決するための手段】
【０００８】
上記の目的を達成するために、この発明では、荷台のフレームに設けた出し入れ用開口内に梯子本体を収納すると共に、この出し入れ用開口を蓋部材で覆った。
【０００９】
具体的には、第１の発明では、貨物車両の荷台に設けられる荷台用梯子を前提とし、
上記荷台に形成した出し入れ用開口の奥側に設けられたレール部材と、
上記レール部材に沿って移動し、手前側に移動された状態で下方に回動されて使用位置に保持される梯子本体と、を備え、
上記梯子本体は、奥側に移動された収納位置で上記出し入れ用開口を塞ぐ蓋部材を備えている。
【００１０】
上記の構成によると、梯子本体の収納位置では、蓋部材が出し入れ用開口を覆うので、見映えがよく、また、梯子本体が出し入れ用開口内に完全に収納されるので、荷台への荷物の出し入れ時に邪魔にならず、塵も入りにくい。また、蓋部材が梯子本体に設けられているので、荷台に蓋部材が設けられているときのように蓋部材を持って梯子本体を出し入れする必要がなく、使い勝手が向上する。
【００１１】
第２の発明では、第１の発明において、
上記蓋部材には、端部を折り曲げた折曲部が設けられ、
上記折曲部は、上記収納位置において、上記梯子本体の移動方向手前側に向かって下方へ傾斜している。
【００１２】
上記の構成によると、蓋部材の端部を折り曲げるだけで、簡単に手で掴む部分を形成できる。また、移動方向手前側に向かって下方へ傾斜しているので、例えば特許文献１の貨物車両に木材チップ等の粒状物を積載する場合、排出した積載物がこの傾斜に沿ってスムーズに落下して折曲部に堆積するのを防止できる。また、折曲部が傾斜しているので、梯子本体の収納状態で、雨、埃等が折曲部に溜まらず、荷台からの荷物の排出時には折曲部が引っ掛かりにくい。また、取っ手を兼ねている折曲部に下方から手を掛けて梯子本体を支えながら引き出した後下方へ回動しやすい。
【００１３】
第３の発明では、第１又は第２の発明において、
上記レール部材の上記出し入れ用開口側には、上記梯子本体を支持した状態で回転するローラが設けられている。
【００１４】
上記の構成によると、梯子本体の引き出し時や押し込み時の抵抗がローラによって和らげられるので、梯子の出し入れが極めて容易になる。また、出し入れ用開口側にローラを設けることで、梯子本体をレール部材に沿って移動させる際に、移動領域全体に亘ってローラが機能するので、滑らかに梯子本体を移動できる。また、ローラを設けることにより梯子本体がレール部材に直接接触しない（すなわち、回転可能なローラが梯子本体を支持する）ので、梯子本体が傷付きにくい。例えば、ミガキステンレス製の梯子本体であっても、表面を塗装した梯子本体であても、傷付きにくく見映えを維持できる。さらに、傷付きにくいので、錆付くことを防止できる。このため、錆付きにくい高価な材料（例えばステンレス）を用いることなく、安価な材料を用いて梯子を安く製作できる。
【００１５】
第４の発明では、第１から第３のいずれか１つの発明において、
上記貨物車両は、往復させることで積載物を上記荷台の端部から排出する床部材が該往復方向と直交する方向に複数並んで設けられ、上記出し入れ用開口が該荷台の端部に設けられている。
【００１６】
上記の構成によると、複数並んだ床部材を往復させて積載物を排出する積荷搬送装置付運搬車の下方に出し入れ用開口を設けても、梯子本体の収納位置では、積載物の積込及び排出時に邪魔にならず、梯子本体の使用位置では、梯子本体を利用して乗り降りが安全且つ容易に行われる。このような積荷搬送装置付運搬車では、積載物が排出後に荷台に残ることがあり、荷台に乗り込んで作業を行うことが多々ある。このような車両に荷台用梯子を設けることで、作業しやすい積荷搬送装置付運搬車を実現できる。
【００１７】
第５の発明では、第１から第４のいずれか１つの発明において、
上記レール部材の移動方向手前側端部には、上記梯子本体が上記使用位置において所定の角度をもって傾斜した状態で該梯子本体の当接面が当接するストッパ面が形成されている。
【００１８】
上記の構成によると、梯子本体の当接面を使用位置においてストッパ面に安定して当接させることで、常に適度な傾斜角度に維持できるので、安全に昇り降りできる。また、梯子本体を手前に移動させるだけで、当接面がストッパ面に当接して所定の角度で傾斜して使用位置に保持される。すなわち、簡単に使用位置とすることができるので、使い勝手がさらに向上する。
【００１９】
第６の発明では、第１から第５のいずれか１つの発明において、
上記レール部材における上記梯子本体の移動方向手前側には、該移動方向に直交する方向に付勢された付勢部材が設けられており、
上記梯子本体には、上記収納位置において上記付勢部材を挿入可能なロック孔が設けられている。
【００２０】
上記の構成によると、梯子本体を収納位置に移動させると、付勢された付勢部材が梯子本体のロック孔に入り込んで、梯子本体が意図せず移動しないように自動でロックされる。すなわち、簡単な構造でありながら、使い勝手のよいロックを構成できる。また、付勢部材が梯子本体に設けた傾斜面に当接して梯子本体を押さえ付けるので、梯子本体の収納時のスライド移動が安定し、収納位置では付勢部材の先端がロック孔に挿入されてロックされるので、意図せず梯子本体が飛び出すことはない。
【００２１】
第７の発明の貨物車両は、第１から第６のいずれか１つの発明の荷台用梯子を荷台の後端に有する。
【００２２】
上記の発明によると、荷台用梯子が荷台の後端にあっても、収納時にはフレームの出し入れ用開口内に収容されて蓋部材で覆われるので、積載物の出し入れの邪魔にならず、見映えもよい。また、荷台用梯子を用いることで、容易且つ安全に荷台に乗り降りできる。また、積載物の積み降ろしを荷台後端から行う貨物車両が多いため、その部分に荷台用梯子を設けることで、作業しやすい貨物車両を実現できる。
【発明の効果】
【００２３】
以上説明したように、本発明によれば、塵等が入り込むことを防止できる構成でありながら使い勝手のよい梯子を設けることができる。
【図面の簡単な説明】
【００２４】
【図１】本発明の実施形態に係る荷台用梯子及びその周辺を一部拡大して示す側面図である。
【図２Ａ】荷台用梯子が使用位置にある貨物車両を示す側面図である。
【図２Ｂ】貨物車両の床面の一部を拡大して示す平面図である。
【図３Ａ】収納状態における荷台用梯子を示す平面図である。
【図３Ｂ】収納状態における荷台用梯子を示す側面図である。
【図３Ｃ】荷台用梯子を背面から見た断面図である。
【図３Ｄ】収納位置にある荷台用梯子及びその周辺を示す背面図である。
【図４Ａ】梯子本体を手前に一部引き出した状態における荷台用梯子を示す平面図である。
【図４Ｂ】梯子本体を手前に一部引き出した状態における荷台用梯子を示す側面図である。
【図５Ａ】梯子本体を示す平面図である。
【図５Ｂ】梯子本体を示す側面図である。
【図６Ａ】一対のレール部材及びその周辺を示す側面図である。
【図６Ｂ】一対のレール部材及びその周辺を示す平面図である。
【図６Ｃ】一対のレール部材及びその周辺を示す背面図である。
【発明を実施するための形態】
【００２５】
以下、本発明の実施形態を図面に基づいて説明する。
【００２６】
図２Ａ及び図２Ｂは、本発明の実施形態に係る貨物車両１を示す側面図であり、この貨物車両１は、走行可能な車台２と、その車台２の前方に設けた運転室３と、車台２に載置された荷台４とを備えている。
【００２７】
荷台４は、例えば、直方体箱形状を有し、後方に、例えば垂直に延びる回動軸５ａを中心に開閉可能なテールゲート５が設けられている。荷台４の底部は、図２Ｂに拡大して示すように、床６を前後にスライドさせて積載物を排出する積荷搬送装置で構成されている。具体的には、略平坦な床６には、例えば、前後に延びる、耐摩耗性の高い樹脂成形品よりなるガイドレール６ａが車幅方向に複数並んで配置され、各ガイドレール６ａ上を、床面全長よりも所定長さ短い長尺状の床部材７が、前後にスライド移動可能に設けられている。そして、例えば、静止させる床部材７と往復動させる床部材７とを適宜切り換えながら、伸縮シリンダやモータ等の駆動手段により往復動させることで、積載物を後方に移動させてテールゲート５から排出するように構成されている。
【００２８】
そして、貨物車両１の荷台４には、荷台用梯子１０が設けられている。この荷台用梯子１０は、例えば図３Ｃ及び図３Ｄに後方から見た様子を示すように、荷台４後端下部の車幅方向に延びる略垂直なテールパネル８に形成した出し入れ用開口９の内側に収納されている。図４Ａにも示すように、この出し入れ用開口９の奥側には、一対のレール部材１１が左右に所定間隔を空けて前後に延びるように設けられている。
【００２９】
具体的には図６Ａ〜図６Ｃに示すように、一対のレール部材１１は、例えば一対のＣ型鋼が互いに開口部を向かい合わせるように配置され、上面が左右に延びるクロスメンバ１２によって連結されている。図３Ａ〜図３Ｃに示すように、クロスメンバ１２は、下方から荷台４底部の横桁４ａに溶接、ボルト締結等により固定されている。図示しないが、収納位置Ａの荷台用梯子１０は、下方から特に覆われていないが、下方がカバー等で覆われていてもよい。
【００３０】
一対のレール部材１１の引き出し方向手前側端部（後端部）には、例えば、後方から見てＪ字状断面（図６Ｃ参照）を有するストッパ部１３が形成されている。このストッパ部１３よりもさらに出し入れ用開口９側の端部は、板状のストッパ部材１１ａで塞がれている。このストッパ部１３の内側に折れ曲がった部分には、梯子本体２０がストッパ部材１１ａに当接して下方へ回動されるときに、所定の角度をもって荷台４に対して傾斜した状態で、この梯子本体２０の補強板２６の当接面２６ｂ（詳しくは後述）が当接するストッパ面１４が形成されている（図３Ｂ及び図６Ｃ参照）。
【００３１】
また、一対のレール部材１１における出し入れ用開口９側の車幅方向外側の側面には、ローラ３５が取り付けられるローラ用ブラケット１５が図６Ａで下方に延びるように、それぞれ設けられている。図３Ｃに示すように、このローラ３５は、車幅方向に延びる回転軸を有し、梯子本体２０（支柱２１）の底面に当接しながら転動することにより、梯子本体２０の出し入れに加わる力を軽減可能に構成されている。
【００３２】
また、図６Ｂに示すように、一方のレール部材１１の側面には、後述する付勢部材４０を支持する付勢部材支持用ブラケット１６が設けられている。
【００３３】
そして、これら一対のレール部材１１内には、梯子本体２０の引き出し方向奥側に設けたシャフト２５の摺動部２５ａが摺動しながら前後にスライド移動するようになっている。この摺動部２５ａは、レール部材１１のストッパ部材１１ａによって抜け出さないようになっており、このストッパ部材１１ａに当接する位置で梯子本体２０が回動可能となっている。
【００３４】
図５Ａ及び図５Ｂを示して具体的な梯子本体２０の構造を説明すると、この梯子本体２０は、例えば、一対の角パイプ等よりなる支柱２１を備え、例えば、３つの踏ざん２２，２３，２４が設けられている。使用位置Ｂで最下端となる踏ざん２２と上下中間の踏ざん２３は、例えば縞鋼板の折り曲げ構造よりなり、最上端の踏ざん２４は、丸パイプよりなるが、踏ざんの形状や個数は、これに限定されない。そして、図２Ａに示す使用位置Ｂで最上端となる一対の支柱２１間には、円柱状のシャフト２５が設けられ、このシャフト２５における一対の支柱２１よりも外側に露出する部分が上記摺動部２５ａとなり、この摺動部２５ａが上記一対のレール部材１１内を摺動するように構成されている。
【００３５】
支柱２１のシャフト２５の周辺の外側側面は、補強板２６で補強されている。この補強板２６の出し入れ用開口９側は、面取り２６ａが形成されて梯子本体２０の引き出し時に出し入れ用開口９に引っ掛かりにくくなっている。また、収納位置Ａにおいて補強板２６の下面の一部が、当接面２６ｂを構成している。
【００３６】
また、支柱２１の出し入れ用開口９側の端部（収納時の後端部）には、この引き出し方向に垂直な方向（本実施形態では車幅方向外側）へ突出する膨出部２７が形成されている。膨出部２７は、例えば、肉厚の鋼板よりなり、平面視でシャフト２５側に向かって先細になる傾斜面２７ａを有する台形状である。そして、この膨出部２７が、一対のレール部材１１の（上側の）内側側面に摺接するように構成されている。
【００３７】
図４Ｂ及び図５Ａに示すように、膨出部２７よりも下方且つ車幅方向内側の、支柱２１の側面には、引き出し方向手前側に向かって徐々に引き出し方向に垂直な方向に拡がる傾斜面２８ａと、この傾斜面２８ａに連続する側面２８ｂと、これら傾斜面２８ａと側面２８ｂとにまたがって形成されて付勢部材４０の先端４１が挿入されるロック孔２８ｃとを有する被付勢部材２８が設けられている。
【００３８】
また、図３Ｃ及び図４Ｂに示すように、一対のレール部材１１の付勢部材支持用ブラケット１６には、取付ブラケット４０ａを介して引き出し方向に垂直な方向（車幅方向内側）に梯子本体２０の側面を押圧する付勢部材４０が設けられている。詳しくは図示しないが、付勢部材４０は、内蔵された弾性部材（例えば圧縮コイルばね）により、先端４１が飛び出す方向に常に付勢されている。この先端４１は、図３Ａに拡大して示すように、先細となっており、梯子本体２０の引き出し方向奥側（図３Ａの左側）は、切り欠かれてロック孔２８ｃの内周面に当接する平坦面４１ａが形成されている。図３Ｃに示すように、先端４１の下部には、ロック解除用ツマミ４２が設けられており、このロック解除用ツマミ４２を操作することで、弾性部材の付勢力に抗して先端４１を移動可能となっている。
【００３９】
そして、図３Ｄ、図４Ａ及び図４Ｂに示すように、梯子本体２０の出し入れ用開口９側の端部（収納時の後端部）には、この梯子本体２０の収納時に出し入れ用開口９及びその周辺を覆う蓋部材３０が例えばボルト３０ａ（図３Ｄでは省略）により取り付けられている。この蓋部材３０は、梯子本体２０の引き出し時に最下端の踏ざん２２の真下に位置するように取り付けられている。この蓋部材３０が、最下端の踏ざんの少なくとも一部を構成するようにしても良い。具体的には、蓋部材３０が踏ざんそのものになる場合だけでなく、踏ざんの一部を構成するようにしても良い。このようにすれば、部品点数が減って構造が簡易となる。
荷台用梯子１０の収納位置Ａにおける蓋部材３０の下側には、切欠３０ｂが設けられていてもよい。この切欠３０ｂに合わせて出し入れ用開口９の底辺は上に膨らんでいてもよい。
【００４０】
また、収納位置Ａで上側となる蓋部材３０の上端には、折り曲げられた折曲部３１が設けられている。この折曲部３１は、梯子本体２０を引き出すときの取っ手を兼ねている。また、この折曲部３１は、蓋部材３０が出し入れ用開口９を覆ったときに、梯子本体２０の引き出し方向に向かって下方へ傾斜している。本実施形態では、例えば、図１に示すβが４５°である。このように、蓋部材３０の端部を折り曲げるだけで、簡単に手で掴む部分を形成できる。また、移動方向手前側に向かって下方へ傾斜しているので、例えば特許文献１の貨物車両に木材チップ等の粒状物を積載する場合、排出した積載物がこの傾斜に沿ってスムーズに落下して折曲部に堆積するのを防止できる。
【００４１】
−荷台用梯子の使用手順−
次いで、荷台用梯子１０の使用手順について説明する。
【００４２】
まず、収納位置Ａでは、図１、図３Ａ及び図３Ｄに示すように、梯子本体２０は、出し入れ用開口９内部（奥側）に収納され、出し入れ用開口９及びその周縁は、蓋部材３０で覆われている。このため、荷台４の床６には、往復させることで積載物をテールゲート５から排出する床部材７がスライド方向と垂直な方向に複数並んで設けられているが、本実施形態では、梯子本体２０が邪魔にならず、また、折曲部３１が適度に傾斜しているので、荷台４からの荷物の排出時に折曲部３１が引っ掛かりにくい。また、出し入れ用開口９が蓋部材３０で覆われるので、見映えもよく、塵も入りにくい。また、この収納状態で、図３Ｂに矢印で示すように、雨、埃等が折曲部３１に溜まりにくいという利点もある。また、梯子本体２０の収納位置Ａでは、膨出部２７が一対のレール部材１１の内側側面に当接するので、がたつかず、その結果、走行時には振動が生じにくい。しかも、図３Ａに示すように、この収納位置Ａでは付勢部材４０の先端４１がロック孔２８ｃに挿入されてロックされているので、意図せず梯子本体２０が飛び出すことはない。本実施形態では、簡単な構造でありながら、使い勝手のよいロックを構成できる。
【００４３】
そして、荷台用梯子１０を使用するときには、まず、付勢部材４０の先端４１下側のロック解除用ツマミ４２をロック解除の方向へ移動させ、ロック孔２８ｃから先端４１を引き出して梯子本体２０の収納位置Ａにおけるロックを解除する。
【００４４】
次いで、蓋部材３０の折曲部３１に下方から指を掛け、図４Ａ及び図４Ｂに示すように、手前に引き出す。このとき、比較的大きく、取っ手を兼ねている蓋部材３０の折曲部３１に手を掛けるので、梯子本体２０を引き出しやすい。このように、蓋部材３０と、梯子本体２０を出し入れするための取っ手とが兼用されるので、部品点数が少なくてすみ構造が簡易となる。また、蓋部材３０が梯子本体２０に設けられているので、荷台４に蓋部材３０が設けられているときのように蓋部材３０を持って梯子本体２０を出し入れする必要がなく、片手でも出し入れできるので、使い勝手が向上している。
【００４５】
さらに折曲部３１に指を掛けた状態で梯子本体２０を引き出し、シャフト２５の摺動部２５ａがストッパ部材１１ａに当接するまでスライド移動させる。このとき、ローラ３５の上を梯子本体２０がスライド移動するので、梯子本体２０の出し入れが極めて容易である。
【００４６】
そして、摺動部２５ａがストッパ部材１１ａに当接した状態で、梯子本体２０を下方へ角度γだけ回動させる。そして、図１に拡大して示すように、梯子本体２０の当接面２６ａがストッパ面１４に当接した位置で梯子本体２０が使用位置Ｂに固定される。このとき、当接面２６ａとストッパ面１４とが面当たりし、梯子本体２０を常に適度な傾斜角度αに維持できるので、安全に昇り降りできる。この荷台用梯子１０を用いることで、容易且つ安全に荷台４に乗り降りできるため、床６上の清掃作業等が容易になる。また、蓋部材３０が最下端の踏ざんの少なくとも一部を構成しているので、脚を置く面積が広くなって昇り降りしやすく、また、蓋部材３０が踏ざんの少なくとも一部を兼ねるので、部品点数が減って構造が簡易となる。本実施形態では、梯子本体２０を手前に移動させるだけで、当接面がストッパ面１４に当接して所定の角度で傾斜して使用位置に保持される。すなわち、簡単に使用位置とすることができるので、使い勝手をさらに向上させることができる。
【００４７】
そして、使用状態Ｂから収納状態Ａに戻すには、蓋部材３０の折曲部３１に下方から手を掛けて持ち上げるようにしながら略水平になるまで角度γだけ回動させる。このとき、折曲部３１の角度βが適切に設定されているので、折曲部３１に指を掛けやすい。
【００４８】
そして、梯子本体２０を出し入れ用開口９内に押し込む。このとき、収納し始めるときには、一対のレール部材１１と一対の支柱２１との隙間が大きく保たれているのでスライドさせやすく、収納位置Ａの手前では膨出部２７の傾斜面２７ａが出し入れ用開口９の周縁に当接しながら梯子本体２０がセンタリングされる。同時に付勢部材４０の先端４１が梯子本体２０に設けた傾斜面２８ａに当接して梯子本体２０を押さえ付けるので、梯子本体２０の収納時のスライド移動が安定する。そして、付勢部材４０の先端４１が先細なので、ロック孔２８ｃに挿入しやすく、挿入後には、平坦面４１ａがロック孔２８ｃの内周面に面接触するので、振動等により先端４１が外れることなく確実にロックされる。このため、梯子本体２０が出し入れ用開口９内で安定した状態で収納される。その結果、走行時にも梯子本体２０には振動が生じにくい。
【００４９】
このように、本実施形態では、複数並んだ床部材７を往復させて積載物を排出する積荷搬送装置を有する貨物車両１に荷台用梯子１０を設けても、梯子本体２０の収納時には積載物の積込及び排出時に邪魔にならず、梯子本体２０の使用時には、梯子本体２０を利用して乗り降りが安全且つ容易に行われる。
【００５０】
また、出し入れ用開口９側にローラ３５を設けることで、梯子本体２０をレール部材１１に沿って移動させる際に、移動領域全体に亘ってローラ３５が機能するので、滑らかに梯子本体２０を移動できる。また、ローラ３５を設けることにより梯子本体２０がレール部材１１に直接接触せず、回転可能なローラ３５が梯子本体２０を支持するので、梯子本体２０が傷付きにくい。例えば、ミガキステンレス製の梯子本体２０であっても、表面を塗装した梯子本体２０であっても、傷付きにくく見映えを維持できる。さらに、傷付きにくいので、錆付くことを防止できる。このため、錆付きにくい高価な材料（例えばステンレス）を用いることなく、安価な材料を用いて荷台用梯子１０を安く製作できる。
【００５１】
本実施形態のような、積荷搬送装置付運搬車では、積載物が排出後に荷台４に残ることがあり、荷台４に乗り込んで作業を行うことが多々ある。このような貨物車両１に荷台用梯子１０を設けることで、作業しやすい積荷搬送装置付運搬車を実現できる。
【００５２】
したがって、本実施形態によれば、収納位置Ａでは積載物の出し入れの邪魔にならず、使用位置Ｂでは荷台４に容易に昇り降りできる荷台用梯子１０を設けることができる。
【００５３】
（その他の実施形態）
本発明は、実施形態について、以下のような構成としてもよい。
【００５４】
すなわち、実施形態では、貨物車両１は、積荷搬送装置を有する貨物車両としたが、これに限定されず、荷台を有する貨物車両であれば、どのような機種にも適用できる。また、荷台用梯子１０は、荷台の側方のフレームに設けてもよい。
【００５５】
上記実施形態では、後部のみに１本のローラ３５を設けた構成を例示したが、前部、中間部にもローラ３５を追加した構成としてもよい。
【００５６】
なお、以上の実施形態は、本質的に好ましい例示であって、本発明、その適用物や用途の範囲を制限することを意図するものではない。
【符号の説明】
【００５７】
１      貨物車両
４      荷台
７      床部材
９      出し入れ用開口
１０      荷台用梯子
１１      レール部材
１４      ストッパ面
２０      梯子本体
２８ｃ    ロック孔
３０      蓋部材
３１      折曲部
３５      ローラ
４０      付勢部材
【図１】
2020023239.tif 000003
【図２Ａ】
2020023239.tif 000004
【図２Ｂ】
2020023239.tif 000005
【図３Ａ】
2020023239.tif 000006
【図３Ｂ】
2020023239.tif 000007
【図３Ｃ】
2020023239.tif 000008
【図３Ｄ】
2020023239.tif 000009
【図４Ａ】
2020023239.tif 000010
【図４Ｂ】
2020023239.tif 000011
【図５Ａ】
2020023239.tif 000012
【図５Ｂ】
2020023239.tif 000013
【図６Ａ】
2020023239.tif 000014
【図６Ｂ】
2020023239.tif 000015
【図６Ｃ】
2020023239.tif 000016